(57)【要約】【課題】  マルチサンプリング技術を応用して、同時に複数の無線周波数帯域および複数の無線通信システムでの無線通信を行うことが可能な無線通信装置を実現する。【解決手段】  複数の無線通信システムの無線信号が混在する受信信号に対して各無線通信システムごとに時分割で周波数変換を行った後の複数の無線通信システムの信号を時分割多重する信号に対して、一つのサンプリング周波数で一様にサンプリングするＡＤ変換器１１２と、該サンプリングデータの出力先となる復調器１１５を切替えるスイッチ１１３と、周波数変換対象システムの切替えタイミングを指示すると共に、該周波数変換対象システムの切替えタイミングに同期してスイッチ１１３に対する切替え指示を行う制御部１１８とを備える。【選択図】    図１
2006074438.tif 000002
【特許請求の範囲】
【請求項１】
複数の無線通信システムの無線信号が混在する受信信号に対して、各無線通信システムごとに時分割で周波数変換を行う周波数変換手段と、
前記周波数変換後の複数の無線通信システムの信号を時分割多重する信号に対して、一つのサンプリング周波数で一様にサンプリングするアナログデジタル変換手段と、
各無線通信システム用の復調手段と、
前記サンプリングデータの出力先となる復調手段を切替える切替え手段と、
前記周波数変換手段に対して周波数変換対象システムの切替えタイミングを指示すると共に、該周波数変換対象システムの切替えタイミングに同期して前記切替え手段に対する切替え指示を行う制御手段と、
を備えたことを特徴とする無線通信装置。
【請求項２】
前記制御手段は、前記アナログデジタル変換手段の入力信号がサンプリングタイミングまでに確定するように、周波数変換対象システムの切替えを該サンプリングタイミングに先行して行うことを特徴とする請求項１に記載の無線通信装置。
【請求項３】
前記制御手段は、周波数変換対象システムの切替えによる不安定期間、および周波数変換対象システムの切替えタイミングから前記アナログデジタル変換手段の入力タイミングに至るまでの遅延時間を加味した時間分を前記先行することを特徴とする請求項２に記載の無線通信装置。
【請求項４】
複数の無線通信システムの無線信号が混在する受信信号に対して、各無線通信システムごとに時分割で周波数変換を行う過程と、
前記周波数変換後の複数の無線通信システムの信号を時分割多重する信号に対して、一つのサンプリング周波数で一様にサンプリングする過程と、
各無線通信システム用の復調手段の中から、前記サンプリングデータの出力先となる復調手段を切替える過程と、
前記周波数変換対象システムの切替えタイミングを指示すると共に、該周波数変換対象システムの切替えタイミングに同期して前記復調手段を切替える指示を行う過程と、
を含むことを特徴とする無線通信制御方法。
【発明の詳細な説明】
【技術分野】
【０００１】
本発明は、複数の無線周波数帯域および複数の無線通信システムに適用可能なマルチバンドおよびマルチモードの無線通信装置および無線通信制御方法に関する。
【背景技術】
【０００２】
従来より、一つの無線通信装置で複数の無線周波数帯域および複数の無線通信システムに適用可能なマルチバンドおよびマルチモードの無線通信装置が検討されている。例えば、特許文献１に記載される従来技術１では、ダウンコンバータミキサおよびローカル周波数信号発生回路（シンセサイザ又は分周器）の組を無線周波数帯域毎に具備し、適用対象の無線周波数帯域に合わせて該当する該組をスイッチで切り替えている。また、特許文献２に記載される従来技術２では、ダウンコンバータミキサを共通化して一個だけ備え、ダウンコンバータミキサに入力する受信信号およびローカル周波数信号をスイッチで切り替えている。
【０００３】
また、非特許文献１には、共通サンプリングクロックを複数のシステム用に配分することにより、マルチサンプリングを実現するための技術（従来技術３）が記載されている。
【特許文献１】特開２００１−１８６０４２号公報
【特許文献２】特開２０００−１２４８２９号公報
【非特許文献１】澤井亮、他３名，「マルチモード・マルチサービスソフトウェア無線通信システムのための適応マルチサンプリング処理法」，電子情報通信学会論文誌，２００１年７月，Ｂ Ｖｏｌ．Ｊ８４−Ｂ，Ｎｏ．７，ｐ．１１８７−１１９７
【発明の開示】
【発明が解決しようとする課題】
【０００４】
しかし、上述した従来技術１および２では、実際の使用時に、使用する無線周波数帯域に合わせてスイッチを切り替えることにより、当該使用する無線通信システム仕様に無線通信装置の動作を固定しているので、同時に複数の無線周波数帯域および複数の無線通信システムでの無線通信を行うことはできない。
【０００５】
このような理由から、上記した従来技術３のマルチサンプリング技術を応用して、同時に複数の無線周波数帯域および複数の無線通信システムでの無線通信を行うことが可能な無線通信装置の実現が望まれる。
【０００６】
本発明は、このような事情を考慮してなされたもので、その目的は、マルチサンプリング技術を応用して、同時に複数の無線周波数帯域および複数の無線通信システムでの無線通信を行うことが可能な無線通信装置および無線通信制御方法を提供することにある。
【課題を解決するための手段】
【０００７】
上記の課題を解決するために、本発明に係る無線通信装置は、複数の無線通信システムの無線信号が混在する受信信号に対して、各無線通信システムごとに時分割で周波数変換を行う周波数変換手段と、前記周波数変換後の複数の無線通信システムの信号を時分割多重する信号に対して、一つのサンプリング周波数で一様にサンプリングするアナログデジタル変換手段と、各無線通信システム用の復調手段と、前記サンプリングデータの出力先となる復調手段を切替える切替え手段と、前記周波数変換手段に対して周波数変換対象システムの切替えタイミングを指示すると共に、該周波数変換対象システムの切替えタイミングに同期して前記切替え手段に対する切替え指示を行う制御手段とを備えたことを特徴としている。
【０００８】
本発明に係る無線通信装置においては、前記制御手段は、前記アナログデジタル変換手段の入力信号がサンプリングタイミングまでに確定するように、周波数変換対象システムの切替えを該サンプリングタイミングに先行して行うことを特徴とする。
【０００９】
本発明に係る無線通信装置においては、前記制御手段は、周波数変換対象システムの切替えによる不安定期間、および周波数変換対象システムの切替えタイミングから前記アナログデジタル変換手段の入力タイミングに至るまでの遅延時間を加味した時間分を前記先行することを特徴とする。
【００１０】
本発明に係る無線通信制御方法は、複数の無線通信システムの無線信号が混在する受信信号に対して、各無線通信システムごとに時分割で周波数変換を行う過程と、前記周波数変換後の複数の無線通信システムの信号を時分割多重する信号に対して、一つのサンプリング周波数で一様にサンプリングする過程と、各無線通信システム用の復調手段の中から、前記サンプリングデータの出力先となる復調手段を切替える過程と、前記周波数変換対象システムの切替えタイミングを指示すると共に、該周波数変換対象システムの切替えタイミングに同期して前記復調手段を切替える指示を行う過程とを含むことを特徴としている。
【発明の効果】
【００１１】
本発明によれば、一つのアナログデジタル変換手段で一つのサンプリング周波数を用いたマルチサンプリングにより、同時に複数の無線通信システムの信号を時分割多重したままデジタル化すると共に、該デジタル化した時分割多重信号中の各無線通信システムの信号を、各無線通信システム用の復調手段に振り分けることができる。これにより、各無線通信システム用の復調手段で各々の復調処理が成されて各無線通信システムの復調信号を得ることができ、同時に複数の無線周波数帯域および複数の無線通信システムでの無線通信を行うことが可能となる。
【００１２】
また、アナログデジタル変換手段の入力信号がサンプリングタイミングまでに確定するように、周波数変換対象システムの切替えをサンプリングタイミングに先行して行うことにより、周波数変換対象システムの切替えによる過渡的な信号状態を回避して良好なサンプリングを行うことができる。
【発明を実施するための最良の形態】
【００１３】
以下、図面を参照し、本発明の各実施形態について順次説明する。
図１は、本発明の第１の実施形態に係る無線通信装置１の構成を示すブロック図である。図１の無線通信装置１は、スーパーヘテロダイン型受信機の一例である。この無線通信装置１は、Ｎ個（Ｎは２以上の整数）の無線通信システムの各無線信号を同時に受信し復調することができるように構成されている。
【００１４】
図１において、アンテナ１０１は、第１〜第Ｎの無線通信システムの各無線信号を受信する。アンテナ１０１で受信された信号は、バンドパスフィルタ１０２に入力されて、第１から第Ｎの無線通信システムで使用される各無線周波数（ＲＦ）帯域の範囲外の帯域の信号が遮断され、アンプ１０３により増幅されてミキサ１０４に入力される。
【００１５】
ミキサ１０４は、ローカル信号発生器１１７から入力されるローカル信号Ｂをアンプ１０３からの入力信号に乗算し、乗算結果の信号を出力する。ここでは、ローカル信号Ｂの周波数によって、第１〜第Ｎの無線通信システムのうち、いずれかのシステムが周波数変換対象として選択されることになる。ミキサ１０４の出力信号は、バンドパスフィルタ１０５を通過することにより、中間周波数（ＩＦ）帯域にダウンコンバートされる。
【００１６】
上記ローカル信号発生器１１７は、制御部１１８から入力されるローカル制御信号Ａに従って、発生するローカル信号Ｂの周波数を変更する。
【００１７】
ＩＦ帯域にダウンコンバートされたバンドパスフィルタ１０５の出力信号は、アンプ１０６で増幅後、アッテネータ１０７により所定の信号レベルに調整され、直交復調器１１１に入力される。
【００１８】
直交復調器１１１は、入力された信号を直交復調してベースバンド信号Ｃを得る。このベースバンド信号Ｃは、アナログ−デジタル変換器（ＡＤ変換器）１１２によりデジタル化される。ＡＤ変換器１１２は、制御部１１８から入力されるサンプリングタイミング信号Ｄを使用してサンプリングを行う。デジタル化されたベースバンド信号Ｅは、スイッチ１１３に入力され、該スイッチ１１３を介していずれかの復調器１１５に入力される。復調器１１５−１〜Ｎは、第１〜第Ｎの無線通信システムにそれぞれ対応したものである。スイッチ１１３は、制御部１１８から入力される切替え制御信号Ｆに従って、ベースバンド信号Ｅを入力する復調器１１５を切り替える。復調器１１５−１〜Ｎは、それぞれに入力されたベースバンド信号Ｅを復調する。
【００１９】
制御部１１８は、発振器１１９で生成されたマスタクロックを使用して、ローカル制御信号Ａ、サンプリングタイミング信号Ｄおよび切替え制御信号Ｆを生成する。
【００２０】
図２、図３は、図１に示すローカル信号発生器１１７の第１、第２の構成例を示すブロック図である。
図２の第１の構成例では、第１から第Ｎの無線通信システムで使用される各ＩＦに対応する周波数の発振器４０１−１〜Ｎと、発振器４０１−１〜Ｎの各出力信号からいずれか一つの信号をローカル信号Ｂとして選択出力するスイッチ４０２とを備える。スイッチ４０２は、制御部１１８から入力されるローカル制御信号Ａに従って、ローカル信号Ｂとして出力する信号を切替える。
【００２１】
図３の第２の構成例では、一つの周波数の発振器５０１と、発振器５０１の出力信号を分周してローカル信号Ｂを生成し出力する分周器５０２とを備える。発振器５０１は、第１から第Ｎの無線通信システムで使用される各ＩＦに対応する周波数の公倍数である周波数の信号を生成する。分周器５０２は、該発振器５０１の出力信号の周波数から、第１から第Ｎの無線通信システムで使用される各ＩＦに対応する周波数を生成可能なように、分周比を可変な構成を有する。そして、分周器５０２は、制御部１１８から入力されるローカル制御信号Ａに従って、分周比を変更し、ローカル信号Ｂを生成する。
【００２２】
次に、図４を参照して、図１の無線通信装置１の動作を説明する。
図４は、図１に示す無線通信装置１の動作を説明するためのタイミングチャートである。なお、図４では、説明の便宜上、２つの無線通信システム（システム１、２）の無線信号を受信する場合を例に挙げているが、３つ以上の無線通信システムの無線信号を受信する場合についても同様にして拡張することができる。
【００２３】
図４において、ローカル制御信号Ａは、ＲＦ帯域からベースバンド帯域に周波数変換する対象システムを示す。また、ローカル制御信号Ａは、周波数変換対象システムの伝送レートに応じた期間だけ、伝送レートが高いほど単位時間当たりの合計期間が長くなるよう出力される。図４の例では、システム１に係るローカル制御信号Ａの出力期間は、ＡＤ変換器１１２でのサンプリング周期の４周期当たり３周期分である。一方、システム２に係るローカル制御信号Ａの出力期間は、ＡＤ変換器１１２でのサンプリング周期の４周期当たり１周期分のみである。
【００２４】
ローカル信号発生器１１７は、そのローカル制御信号Ａに従って、ローカル制御信号Ａのシステム１の期間にはシステム１用のローカル信号Ｂを生成し、一方、ローカル制御信号Ａのシステム２の期間にはシステム２用のローカル信号Ｂを生成する。このローカル信号Ｂによって周波数変換対象システムが選択されることになり、ローカル信号Ｂのシステム１の期間にはシステム１用のＡＤ変換器入力信号Ｃが生成され、一方、ローカル信号Ｂのシステム２の期間にはシステム２用のＡＤ変換器入力信号Ｃが生成される。
【００２５】
なお、ローカル制御信号Ａの切り替わりのタイミングでは、ローカル信号Ｂは、過渡的な状態となり、不安定な期間が生じる。このため、ＡＤ変換器１１２の入力信号Ｃは、該不安定期間を有すると共に、各部１０４〜１０７及び１１１の回路遅延を付加されたものとなる。これら不安定期間および回路遅延を考慮して上記ローカル制御信号Ａは、制御部１１８により、ＡＤ変換器１１２のサンプリングタイミングとのタイミング調整時間を取るように作成される。具体的には、図４に示されるように、ＡＤ変換器１１２のサンプリングタイミングよりも手前で、ローカル制御信号Ａは切り替わる。例えば、サンプリングタイミング時刻Ｔ１の手前の時刻Ｔ１’で、システム１への切替えが行われる。
【００２６】
ＡＤ変換器１１２は、制御部１１８から入力されるサンプリングタイミング信号Ｄのサンプリング周波数のサンプリングタイミングで、入力信号Ｃのサンプリングを行う。例えば、時刻Ｔ１〜Ｔ３のシステム１に係るサンプリング期間では、３回のサンプリングが行われ、システム１に係る３つのサンプリングデータＳ１−１，２，３が得られる。次の時刻Ｔ４のシステム２に係るサンプリング期間では、１回のサンプリングが行われ、システム２に係る１つのサンプリングデータＳ２−１が得られる。
【００２７】
スイッチ１１３の切替え制御信号Ｆは、入力信号Ｅの対応するシステムを示す。この切替え制御信号Ｆに従ってスイッチ１１３の出力先が切替えられることにより、入力信号Ｅは各々対応する復調器１、２に入力される。図４の例では、システム１に係る入力信号Ｅの期間では、システム１用の復調器１に入力信号Ｅが出力される。これにより、システム１に係るサンプリングデータＳ１−１，２，３，５，６，７・・・が復調器１に入力される。一方、システム２に係る入力信号Ｅの期間では、システム２用の復調器２に入力信号Ｅが出力される。これにより、システム２に係るサンプリングデータＳ２−１，２，３・・・が復調器２に入力される。
【００２８】
なお、システム１用の復調器１では、入力されるサンプリングデータに抜けが生じているが、例えばＳ１−３とＳ１−５の間のＳ１−４が抜けるが、この抜けた値は補間処理を行う。また、システム２では、本サンプリング周期の４回に１回のサンプリングの値で復調可能な伝送レートとなっている。
【００２９】
次に、図１の制御部１１８に係る構成および動作を２つの構成例を挙げて説明する。
【００３０】
図５は、図１に示す制御部１１８の一構成例を示すブロック図である。図６は、図５に示す制御部１１８の動作を説明するためのタイミングチャートである。以下、図６を参照して図５の制御部１１８について説明する。
図５において、制御部１１８には発振器１１９からマスタクロック信号が入力される。このマスタクロック信号はそのままサンプリングタイミング信号ＤとしてＡＤ変換器１１２に出力される。カウンタ６０２は、２ビットのカウンタであり、マスタクロック信号に同期してカウンタ値を０、１、２、３、０の順で巡回してカウントアップする（図６のカウンタ値参照）。
【００３１】
遅延器６０３は、マスタクロック信号を遅延させて出力する（図６の遅延器出力信号参照）。この遅延時間は、上記した図４におけるサンプリングタイミングとローカル信号Ａとのタイミング調整時間に相当する時間である。
【００３２】
エンコーダ６０４は、遅延器６０３で遅延された遅延マスタクロック信号（遅延器出力信号）に同期して、カウンタ６０２のカウンタ値をエンコードする（図６のエンコーダ出力信号参照）。このエンコード値は、上記した図４のローカル制御信号Ａとして出力される。図６の例では、カウンタ値“０”，“１”，“３”がシステム１を示す値にエンコードされ、カウンタ値“２”がシステム２を示す値にエンコードされる。
【００３３】
ＤＦＦ（Ｄタイプのフリップフロップ）６０５は、マスタクロック信号に同期してエンコーダ６０４のエンコード値を保持し出力する（図６のＤＦＦ出力信号参照）。このＤＦＦ出力信号は、上記した図４の切替え制御信号Ｆとして出力される。
【００３４】
図７は、図１に示す制御部１１８の他の構成例を示すブロック図である。図９は、図７に示す制御部１１８の動作を説明するためのタイミングチャートである。以下、図９を参照して図７の制御部１１８について説明する。
図７において、制御部１１８には発振器１１９からマスタクロック信号が入力される。このマスタクロック信号は、カウンタ７０２およびフリップフロップ７０４，７０５の動作クロックとして使用される。フリップフロップ７０４，７０５は、例えば図８に示されるようにＪＫタイプで構成されたフリップフロップである。フリップフロップ７０４の初期値は１であり、フリップフロップ７０５の初期値は０である。
【００３５】
カウンタ７０２は、初期値が０の３ビットのカウンタであり、マスタクロック信号に同期してカウンタ値を０、１、２、３、４、５、６、７、０の順で巡回してカウントアップする（図９のカウンタ（７０２）値参照）。
【００３６】
コンパレータ７０３は、カウンタ７０２のカウンタ値が“７”の時にコンパレータ出力信号Ｋ１を出力し、また、カウンタ７０２のカウンタ値が“５”の時にコンパレータ出力信号Ｋ２を出力する（図９のコンパレータ出力信号Ｋ１，Ｋ２参照）。
【００３７】
フリップフロップ７０４は、コンパレータ出力信号Ｋ１の入力の度に、マスタクロック信号に同期して出力の０／１を反転する（図９のフリップフロップ（７０４）出力信号参照）。このフリップフロップ７０４の出力信号は、サンプリングタイミング信号Ｄとして出力される。
【００３８】
フリップフロップ７０５は、コンパレータ出力信号Ｋ２の入力の度に、マスタクロック信号に同期して出力の０／１を反転する（図９のフリップフロップ（７０５）出力信号Ｌ参照）。このフリップフロップ７０５の出力信号Ｌは、上記した図５の遅延器６０３の出力信号（図６の遅延器出力信号）に相当する。
【００３９】
カウンタ７０６は、上記した図５のカウンタ６０２に相当し、フリップフロップ７０４の出力信号つまりサンプリングタイミング信号Ｄに同期してカウンタ値を０、１、２、３、０の順で巡回してカウントアップする（図９のカウンタ（７０６）値参照）。
【００４０】
エンコーダ７０７は、上記した図５のエンコーダ６０４に相当し、フリップフロップ７０５の出力信号Ｌに同期して、カウンタ７０６のカウンタ値をエンコードする（図９のエンコーダ出力信号参照）。このエンコード値は、ローカル制御信号Ａとして出力される。図９の例は、上記した図６の例と同様に、カウンタ値“０”，“１”，“３”がシステム１を示す値にエンコードされ、カウンタ値“２”がシステム２を示す値にエンコードされる。
【００４１】
ＤＦＦ７０８は、上記した図５のＤＦＦ６０５に相当し、フリップフロップ７０４の出力信号つまりサンプリングタイミング信号Ｄに同期して、エンコーダ７０７のエンコード値を保持し出力する（図９のＤＦＦ出力信号参照）。このＤＦＦ出力信号は、切替え制御信号Ｆとして出力される。
【００４２】
上述したように本実施形態によれば、複数の無線通信システムの無線信号が混在する受信信号に対して各無線通信システムごとに時分割でＲＦ帯域からベースバンド帯域に周波数変換を行い、複数の無線通信システムのベースバンド信号を時分割多重した信号（図４のＡＤ変換器入力信号Ｃ）を生成する。そして、その時分割多重信号を一つのサンプリング周波数で一様にサンプリングし、該サンプリングデータの出力先となる各無線通信システム用の復調器を、周波数変換対象システムの切替えタイミングに同期して切替える。
【００４３】
これにより、一つのＡＤ変換器１１２で一つのサンプリング周波数を用いたマルチサンプリングにより同時に複数の無線通信システムのベースバンド信号を時分割多重したままデジタル化すると共に、該デジタル化した時分割多重ベースバンド信号中の各無線通信システムのベースバンド信号を、各無線通信システム用の復調器に振り分けることができる。この結果、各無線通信システム用の復調器で各々の復調処理が成されて各無線通信システムの復調信号を得ることができ、同時に複数の無線周波数帯域および複数の無線通信システムでの無線通信を行うことが可能となる。
【００４４】
また、ＡＤ変換器入力信号Ｃがサンプリングタイミングまでに確定するように、周波数変換対象システムの切替えをサンプリングタイミングに先行して行うので、周波数変換対象システムの切替えによる過渡的な信号状態を回避して良好なサンプリングを行うことができる。好ましくは、周波数変換対象システムの切替えによる不安定期間、および周波数変換対象システムの切替えタイミングからＡＤ変換器の入力タイミングに至るまでの遅延時間を加味した時間分を先行することが望ましい。
【００４５】
次に、第２の実施形態を説明する。
図１０は、本発明の第２の実施形態に係る無線通信装置１ａの構成を示すブロック図である。この図１０において図１の各部に対応する部分には同一の符号を付け、その説明を省略する。
【００４６】
図１０の無線通信装置１ａは、スーパーヘテロダイン型受信機のうち低ＩＦタイプの一例である。この無線通信装置１ａでは、ＲＦ帯域からＩＦ帯域にダウンコンバート後にＡＤ変換器１１２でデジタル化した信号をデジタル直交復調器１１１ａによりベースバンド信号に変換する。つまり、本実施形態では、ＡＤ変換器１１２の入力信号Ｃは、複数の無線通信システムのＩＦ帯域の信号を時分割多重している。そして、ＡＤ変換器１１２では、上記第１の実施形態と同様に、その時分割多重信号を一つのサンプリング周波数で一様にサンプリングする。
【００４７】
次いで、該サンプリングデータは、デジタル直交復調器１１１ａに入力されてベースバンド信号に変換される。そして、この時分割多重ベースバンド信号の出力先となる各無線通信システム用の復調器は、上記第１の実施形態と同様に、切替え制御信号Ｆに従ってスイッチ１１３により切替えられる。これにより、上記第１の実施形態と同様に、時分割多重ベースバンド信号の出力先となる各無線通信システム用の復調器は、周波数変換対象システムの切替えタイミングに同期して切替えられる。
【００４８】
従って、第２の実施形態においても、上記第１の実施形態と同様の効果が得られる。すなわち、一つのＡＤ変換器１１２で一つのサンプリング周波数を用いたマルチサンプリングにより同時に複数の無線通信システムのＩＦ帯域の信号を時分割多重したままデジタル化すると共に、該デジタル化した信号を直交復調した時分割多重ベースバンド信号中の各無線通信システムのベースバンド信号を、各無線通信システム用の復調器に振り分けることができる。この結果、各無線通信システム用の復調器で各々の復調処理が成されて各無線通信システムの復調信号を得ることができ、同時に複数の無線周波数帯域および複数の無線通信システムでの無線通信を行うことが可能となる。
【００４９】
また、ＡＤ変換器入力信号Ｃがサンプリングタイミングまでに確定するように、周波数変換対象システムの切替えをサンプリングタイミングに先行して行うことにより、周波数変換対象システムの切替えによる過渡的な信号状態を回避して良好なサンプリングを行うことができる。好ましくは、周波数変換対象システムの切替えによる不安定期間、および周波数変換対象システムの切替えタイミングからＡＤ変換器の入力タイミングに至るまでの遅延時間を加味した時間分を先行することが望ましい。
【００５０】
次に、第３の実施形態を説明する。
図１１は、本発明の第３の実施形態に係る無線通信装置１ｂの構成を示すブロック図である。この図１１において図１の各部に対応する部分には同一の符号を付け、その説明を省略する。
【００５１】
図１１の無線通信装置１ｂは、ダイレクトコンバージョン型受信機の一例である。この無線通信装置１ｂでは、直交復調器１１１によりＲＦ帯域からベースバンド帯域に直接にダウンコンバートする。ここで、該直交復調器１１１は、ローカル信号Ｂにより、複数の無線通信システムのＲＦ帯域信号を時分割でベースバンド信号に変換する。そして、該時分割多重ベースバンド信号は、上記第１の実施形態と同様に、ＡＤ変換器入力信号ＣとしてＡＤ変換器１１２に入力される。これにより、第３の実施形態においても、上記第１の実施形態と同様の効果が得られる。
【００５２】
以上、本発明の実施形態を図面を参照して詳述してきたが、具体的な構成はこの実施形態に限られるものではなく、本発明の要旨を逸脱しない範囲の設計変更等も含まれる。
【図面の簡単な説明】
【００５３】
【図１】本発明の第１の実施形態に係る無線通信装置１の構成を示すブロック図である。
【図２】ローカル信号発生器１１７の一構成例を示すブロック図である。
【図３】ローカル信号発生器１１７の他の構成例を示すブロック図である。
【図４】本発明の実施形態に係る無線通信装置の動作を説明するためのタイミングチャートである。
【図５】本発明の実施形態に係る制御部１１８の一構成例を示すブロック図である。
【図６】図５に示す制御部１１８の動作を説明するためのタイミングチャートである。
【図７】本発明の実施形態に係る制御部１１８の他の構成例を示すブロック図である。
【図８】図７に示すフリップフロップ７０４，７０５の構成例を示すブロック図である。
【図９】図７に示す制御部１１８の動作を説明するためのタイミングチャートである。
【図１０】本発明の第２の実施形態に係る無線通信装置１ａの構成を示すブロック図である。
【図１１】本発明の第３の実施形態に係る無線通信装置１ｂの構成を示すブロック図である。
【符号の説明】
【００５４】
１，１ａ，１ｂ…無線通信装置、１０４…ミキサ、１１１…直交復調器、１１１ａ…デジタル直交復調器、１１２…ＡＤ変換器、１１３…スイッチ、１１５−１〜Ｎ…復調器、１１７…ローカル信号発生器、１１８…制御部、１１９…発振器。
【図１】
2006074438.tif 000003
【図２】
2006074438.tif 000004
【図３】
2006074438.tif 000005
【図４】
2006074438.tif 000006
【図５】
2006074438.tif 000007
【図６】
2006074438.tif 000008
【図７】
2006074438.tif 000009
【図８】
2006074438.tif 000010
【図９】
2006074438.tif 000011
【図１０】
2006074438.tif 000012
【図１１】
2006074438.tif 000013